(57)【要約】【課題】コストの低減を図ったときでも、表示品位を確実に向上させることができるアクティブマトリクス型表示装置、及びその駆動方法、並びにそれに用いられる駆動制御回路を提供する。【解決手段】複数の走査線及び複数のデータ線と、マトリクス状に設けられた複数の画素とを備えたアクティブマトリクス型液晶表示装置において、ソースドライバ（データ線駆動回路）２と３本の各データ線との間の接続を選択的に切り換える切換スイッチング素子（切換部）を設置する。また、複数の画素毎に、走査線上で隣接する画素についての所定の電圧変化量を演算する画像処理部（演算部）１ａと、画像処理部１ａからの演算結果を用いて、ソースドライバ２に接続される３本のデータ線の接続順序を定める駆動方向制御部（制御部）１ｂを設ける。【選択図】図１
2008191263.tif 000002
【特許請求の範囲】
【請求項１】
マトリクス状に配列された複数の走査線及び複数のデータ線と、前記走査線と前記データ線との交差部の近傍に設けられたスイッチング素子を有するとともに、マトリクス状に設けられた複数の画素を備えたアクティブマトリクス型表示装置であって、
表示すべき情報に応じた電圧信号を前記複数の各データ線に出力するデータ線駆動回路と、
ｍ本（ｍは２以上の整数）の前記データ線毎に設けられるとともに、一端側が前記データ線駆動回路に接続され、かつ、他端側が前記ｍ本のデータ線に接続され、前記データ線駆動回路と前記ｍ本の各データ線との間の接続を選択的に切り換える切換部と、
前記複数の画素毎に、前記走査線上で隣接する画素に対して前記データ線駆動回路から出力される電圧信号と、当該隣接する画素に接続されたデータ線に対して前記データ線駆動回路から直前に出力された電圧信号とを比較して、それらの電圧信号の電圧変化量を演算する演算部と、
前記演算部からの演算結果を用いて、前記データ線駆動回路及び前記切換部の少なくとも一方の駆動制御を行う制御部と
を備えていることを特徴とするアクティブマトリクス型表示装置。
【請求項２】
前記制御部には、前記演算部からの演算結果を使用して、前記切換部を介して前記データ線駆動回路に接続される、前記ｍ本のデータ線の接続順序を定める駆動方向制御部が用いられている請求項１に記載のアクティブマトリクス型表示装置。
【請求項３】
前記制御部には、前記演算部からの演算結果を使用して、前記複数の画素毎に、前記データ線駆動回路から対応する画素に出力される電圧信号を補正する電圧補正部が用いられている請求項１または２に記載のアクティブマトリクス型表示装置。
【請求項４】
前記電圧補正部は、前記データ線駆動回路側で、前記切換部毎に設けられている請求項３に記載のアクティブマトリクス型表示装置。
【請求項５】
前記複数の画素には、赤色（Ｒ）、緑色（Ｇ）、及び青色（Ｂ）のＲＧＢの三色と、この三色以外の色を含んだ多色カラーフィルタが設けられることにより、前記ＲＧＢの三色と前記ＲＧＢ以外の色とを含む四色以上の各色を表示するための複数色の画素が設けられるとともに、
外部から入力された前記ＲＧＢの画素にそれぞれ対応したＲＧＢの表示データを、前記複数色の画素にそれぞれ対応した多色の表示データに変換するデータ変換部を備えている請求項１〜４のいずれか１項に記載のアクティブマトリクス型表示装置。
【請求項６】
前記データ変換部は、前記ＲＧＢの表示データを多色の表示データに変換するときに、前記演算部からの演算結果を用いて、前記データ線駆動回路から対応する画素に出力される電圧信号を補正する請求項５に記載のアクティブマトリクス型表示装置。
【請求項７】
前記制御部は、全ての前記画素に対し、前記データ線駆動回路から電圧信号が出力されたか否かについて判別するとともに、
前記制御部は、前記全ての画素に対し、電圧信号が出力されたことを判別し、かつ、前記演算部からの演算結果が所定の閾値以下であるときに、前記切換部を介して前記データ線駆動回路に接続される、前記ｍ本のデータ線の接続順序を前回の接続順序と相異させる請求項１〜６のいずれか１項に記載のアクティブマトリクス型表示装置。
【請求項８】
請求項１〜７のいずれか１項に記載のアクティブマトリクス表示装置の駆動方法であって、
前記演算部は、前記複数の画素毎に、前記電圧変化量の演算処理を行う際に、比較対象の２つの各電圧信号に対応する表示データを取得するとともに、それら２つの表示データの上位Ｌビット（Ｌは整数）どうしを比較することを特徴とするアクティブマトリクス型表示装置の駆動方法。
【請求項９】
マトリクス状に配列された複数の走査線及び複数のデータ線と、前記走査線と前記データ線との交差部の近傍に設けられたスイッチング素子を有するとともに、マトリクス状に設けられた複数の画素と、表示すべき情報に応じた電圧信号を前記複数の各データ線に出力するデータ線駆動回路と、ｍ本（ｍは２以上の整数）の前記データ線毎に設けられるとともに、一端側が前記データ線駆動回路に接続され、かつ、他端側が前記ｍ本のデータ線に接続され、前記データ線駆動回路と前記ｍ本の各データ線との間の接続を選択的に切り換える切換部とを備えたアクティブマトリクス型表示装置に用いられる駆動制御回路であって、
前記複数の画素毎に、前記走査線上で隣接する画素に対して前記データ線駆動回路から出力される電圧信号と、当該隣接する画素に接続されたデータ線に対して前記データ線駆動回路から直前に出力された電圧信号とを比較して、それらの電圧信号の電圧変化量を演算する演算部と、
前記演算部からの演算結果を用いて、前記データ線駆動回路及び前記切換部の少なくとも一方の駆動制御を行う制御部と
を備えていることを特徴とするアクティブマトリクス型表示装置の駆動制御回路。
【請求項１０】
前記制御部には、前記演算部からの演算結果を使用して、前記切換部を介して前記データ線駆動回路に接続される、前記ｍ本のデータ線の接続順序を定める駆動方向制御部が用いられている請求項９に記載のアクティブマトリクス型表示装置の駆動制御回路。
【請求項１１】
前記制御部には、前記演算部からの演算結果を使用して、前記複数の画素毎に、前記データ線駆動回路から対応する画素に出力される電圧信号を補正する電圧補正部が用いられている請求項９または１０に記載のアクティブマトリクス型表示装置の駆動制御回路。
【請求項１２】
前記電圧補正部は、前記データ線駆動回路側で、前記切換部毎に設けられている請求項１１に記載のアクティブマトリクス型表示装置の駆動制御回路。
【請求項１３】
前記複数の画素には、赤色（Ｒ）、緑色（Ｇ）、及び青色（Ｂ）のＲＧＢの三色と、この三色以外の色を含んだ多色カラーフィルタが設けられることにより、前記ＲＧＢの三色と前記ＲＧＢ以外の色とを含む四色以上の各色を表示するための複数色の画素が設けられるとともに、
外部から入力された前記ＲＧＢの画素にそれぞれ対応したＲＧＢの表示データを、前記複数色の画素にそれぞれ対応した多色の表示データに変換するデータ変換部を備えている請求項９〜１２のいずれか１項に記載のアクティブマトリクス型表示装置の駆動制御回路。
【請求項１４】
前記データ変換部は、前記ＲＧＢの表示データを多色の表示データに変換するときに、前記演算部からの演算結果を用いて、前記データ線駆動回路から対応する画素に出力される電圧信号を補正する請求項１３に記載のアクティブマトリクス型表示装置の駆動制御回路。
【請求項１５】
前記制御部は、全ての前記画素に対し、前記データ線駆動回路から電圧信号が出力されたか否かについて判別するとともに、
前記制御部は、前記全ての画素に対し、電圧信号が出力されたことを判別し、かつ、前記演算部からの演算結果が所定の閾値以下であるときに、前記切換部を介して前記データ線駆動回路に接続される、前記ｍ本のデータ線の接続順序を前回の接続順序と相異させる請求項９〜１４のいずれか１項に記載のアクティブマトリクス型表示装置の駆動制御回路。
【発明の詳細な説明】
【技術分野】
【０００１】
本発明は、アクティブマトリクス型液晶表示装置などのアクティブマトリクス型表示装置、及びその駆動方法、並びにそれに用いられる駆動制御回路に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、複数の走査線及び複数のデータ線をマトリクス状に配線するとともに、走査線とデータ線との交差部の近傍に薄膜トランジスタ（ＴＦＴ：Thin Film Transistor）等のスイッチング素子を有する画素をマトリクス状に配置したアクティブマトリクス型のものが知られている。
【０００３】
また、従来のアクティブマトリクス型液晶表示装置には、例えば下記特許文献１に記載されているように、複数のデータ線について、例えば３本ずつ３個のスイッチング素子を介して束ねることによって、データ線駆動回路の出力信号線の本数を削減してコストを低減することが提案されている。
【０００４】
さらに、この従来のアクティブマトリクス型液晶表示装置では、３本ずつ束ねたデータ線に関して、データ線駆動回路の出力信号線に接続される接続順序を、走査線毎及び／または同じ走査線であっても走査する度に異ならせていた。そして、この従来のアクティブマトリクス型液晶表示装置では、寄生容量による電圧変動に起因した縞模様の表示ムラが、ユーザに視認されるのを抑制して表示品位を向上可能とされていた。
【特許文献１】特開２００３−５８１１９号公報
【発明の開示】
【発明が解決しようとする課題】
【０００５】
しかしながら、上記のような従来のアクティブマトリクス型液晶表示装置では、表示すべき情報（表示データ）によっては上記縞模様がユーザに視認されることがあり、表示品位を向上できないことがあった。つまり、従来のアクティブマトリクス型液晶表示装置では、表示データに関わりなく、上記データ線駆動回路の出力信号線に対する、３本のデータ線の接続順序を決定して順次接続していた。このため、表示データの大きさ、すなわち出力信号線から対応するデータ線に出力される電圧信号の大きさによっては、画素に供給される電圧が、当該画素と隣接する画素との間に存在する上記寄生容量により、大きく変動することがあり、縞模様がユーザに視認されて表示品位を向上できなかった。
【０００６】
上記の課題に鑑み、本発明は、コストの低減を図ったときでも、表示品位を確実に向上させることができるアクティブマトリクス型表示装置、及びその駆動方法、並びにそれに用いられる駆動制御回路を提供することを目的とする。
【課題を解決するための手段】
【０００７】
上記の目的を達成するために、本発明にかかるアクティブマトリクス型表示装置は、マトリクス状に配列された複数の走査線及び複数のデータ線と、前記走査線と前記データ線との交差部の近傍に設けられたスイッチング素子を有するとともに、マトリクス状に設けられた複数の画素を備えたアクティブマトリクス型表示装置であって、
表示すべき情報に応じた電圧信号を前記複数の各データ線に出力するデータ線駆動回路と、
ｍ本（ｍは２以上の整数）の前記データ線毎に設けられるとともに、一端側が前記データ線駆動回路に接続され、かつ、他端側が前記ｍ本のデータ線に接続され、前記データ線駆動回路と前記ｍ本の各データ線との間の接続を選択的に切り換える切換部と、
前記複数の画素毎に、前記走査線上で隣接する画素に対して前記データ線駆動回路から出力される電圧信号と、当該隣接する画素に接続されたデータ線に対して前記データ線駆動回路から直前に出力された電圧信号とを比較して、それらの電圧信号の電圧変化量を演算する演算部と、
前記演算部からの演算結果を用いて、前記データ線駆動回路及び前記切換部の少なくとも一方の駆動制御を行う制御部とを備えていることを特徴とするものである。
【０００８】
また、本発明にかかるアクティブマトリクス型表示装置の駆動制御回路は、マトリクス状に配列された複数の走査線及び複数のデータ線と、前記走査線と前記データ線との交差部の近傍に設けられたスイッチング素子を有するとともに、マトリクス状に設けられた複数の画素と、表示すべき情報に応じた電圧信号を前記複数の各データ線に出力するデータ線駆動回路と、ｍ本（ｍは２以上の整数）の前記データ線毎に設けられるとともに、一端側が前記データ線駆動回路に接続され、かつ、他端側が前記ｍ本のデータ線に接続され、前記データ線駆動回路と前記ｍ本の各データ線との間の接続を選択的に切り換える切換部とを備えたアクティブマトリクス型表示装置に用いられる駆動制御回路であって、
前記複数の画素毎に、前記走査線上で隣接する画素に対して前記データ線駆動回路から出力される電圧信号と、当該隣接する画素に接続されたデータ線に対して前記データ線駆動回路から直前に出力された電圧信号とを比較して、それらの電圧信号の電圧変化量を演算する演算部と、
前記演算部からの演算結果を用いて、前記データ線駆動回路及び前記切換部の少なくとも一方の駆動制御を行う制御部とを備えていることを特徴とするものである。
【０００９】
上記のように構成されたアクティブマトリクス型表示装置及び駆動制御回路では、演算部が、複数の画素毎に、走査線上で隣接する画素に対してデータ線駆動回路から出力される電圧信号と、当該隣接する画素に接続されたデータ線に対してデータ線駆動回路から直前に出力された電圧信号とを比較して、それらの電圧信号の電圧変化量を演算している。また、制御部が演算部の演算結果を用いて、データ線駆動回路及び切換部の少なくとも一方の駆動制御を行っている。これにより、制御部は、複数の画素毎に、その画素と隣接する画素との間に存在する寄生容量による電圧変動の悪影響を極力抑制しつつ、表示データに応じて、データ線駆動回路及び切換部の少なくとも一方の駆動制御を適切に行うことができる。この結果、上記従来例と異なり、表示データに関わらず、縞模様がユーザに視認されるのを防ぐことができ、コストの低減を図ったときでも、表示品位を確実に向上させることができる。
【００１０】
また、上記アクティブマトリクス型表示装置において、前記制御部には、前記演算部からの演算結果を使用して、前記切換部を介して前記データ線駆動回路に接続される、前記ｍ本のデータ線の接続順序を定める駆動方向制御部が用いられてもよい。
【００１１】
また、上記アクティブマトリクス型表示装置の駆動制御回路において、前記制御部には、前記演算部からの演算結果を使用して、前記切換部を介して前記データ線駆動回路に接続される、前記ｍ本のデータ線の接続順序を定める駆動方向制御部が用いられてもよい。
【００１２】
この場合、駆動方向制御部は表示データに応じて、ｍ本の接続順序を定めることができ、表示データに関わらず、縞模様がユーザに視認されるのを防いで、コストの低減を図ったときでも、表示品位を確実に向上させることができる。
【００１３】
また、上記アクティブマトリクス型表示装置において、前記制御部には、前記演算部からの演算結果を使用して、前記複数の画素毎に、前記データ線駆動回路から対応する画素に出力される電圧信号を補正する電圧補正部が用いられてもよい。
【００１４】
また、上記アクティブマトリクス型表示装置の駆動制御回路において、前記制御部には、前記演算部からの演算結果を使用して、前記複数の画素毎に、前記データ線駆動回路から対応する画素に出力される電圧信号を補正する電圧補正部が用いられてもよい。
【００１５】
この場合、電圧補正部は表示データに応じて、複数の各画素に出力される電圧信号を補正することができ、表示データに関わらず、縞模様がユーザに視認されるのを防いで、コストの低減を図ったときでも、表示品位を確実に向上させることができる。
【００１６】
また、上記アクティブマトリクス型表示装置において、前記電圧補正部は、前記データ線駆動回路側で、前記切換部毎に設けられてもよい。
【００１７】
また、上記アクティブマトリクス型表示装置の駆動制御回路において、前記電圧補正部は、前記データ線駆動回路側で、前記切換部毎に設けられてもよい。
【００１８】
この場合、電圧補正部は複数の各データ線への電圧信号の補正処理を容易に行うことができる。
【００１９】
また、上記アクティブマトリクス型表示装置において、前記複数の画素には、赤色（Ｒ）、緑色（Ｇ）、及び青色（Ｂ）のＲＧＢの三色と、この三色以外の色を含んだ多色カラーフィルタが設けられることにより、前記ＲＧＢの三色と前記ＲＧＢ以外の色とを含む四色以上の各色を表示するための複数色の画素が設けられるとともに、
外部から入力された前記ＲＧＢの画素にそれぞれ対応したＲＧＢの表示データを、前記複数色の画素にそれぞれ対応した多色の表示データに変換するデータ変換部を備えていることが好ましい。
【００２０】
また、上記アクティブマトリクス型表示装置の駆動制御回路において、前記複数の画素には、赤色（Ｒ）、緑色（Ｇ）、及び青色（Ｂ）のＲＧＢの三色と、この三色以外の色を含んだ多色カラーフィルタが設けられることにより、前記ＲＧＢの三色と前記ＲＧＢ以外の色とを含む四色以上の各色を表示するための複数色の画素が設けられるとともに、
外部から入力された前記ＲＧＢの画素にそれぞれ対応したＲＧＢの表示データを、前記複数色の画素にそれぞれ対応した多色の表示データに変換するデータ変換部を備えていることが好ましい。
【００２１】
この場合、上記四色以上の複数色の画素を有する高性能なアクティブマトリクス型表示装置においても、データ変換部が外部からのＲＧＢの表示データを適切な多色の表示データに変換することができ、表示品位を確実に向上させることができる。
【００２２】
また、上記アクティブマトリクス型表示装置において、前記データ変換部は、前記ＲＧＢの表示データを多色の表示データに変換するときに、前記演算部からの演算結果を用いて、前記データ線駆動回路から対応する画素に出力される電圧信号を補正してもよい。
【００２３】
また、上記アクティブマトリクス型表示装置の駆動制御回路において、前記データ変換部は、前記ＲＧＢの表示データを多色の表示データに変換するときに、前記演算部からの演算結果を用いて、前記データ線駆動回路から対応する画素に出力される電圧信号を補正してもよい。
【００２４】
この場合、データ変換部には演算結果を用いて電圧信号を補正する上記電圧補正部の機能が付与されて、当該電圧補正部の設置を省略した構造簡単なアクティブマトリクス型表示装置または駆動制御回路を容易に構成することができる。
【００２５】
また、上記アクティブマトリクス型表示装置において、前記制御部は、全ての前記画素に対し、前記データ線駆動回路から電圧信号が出力されたか否かについて判別するとともに、
前記制御部は、前記全ての画素に対し、電圧信号が出力されたことを判別し、かつ、前記演算部からの演算結果が所定の閾値以下であるときに、前記切換部を介して前記データ線駆動回路に接続される、前記ｍ本のデータ線の接続順序を前回の接続順序と相異させることが好ましい。
【００２６】
また、上記アクティブマトリクス型表示装置の駆動制御回路において、前記制御部は、全ての前記画素に対し、前記データ線駆動回路から電圧信号が出力されたか否かについて判別するとともに、
前記制御部は、前記全ての画素に対し、電圧信号が出力されたことを判別し、かつ、前記演算部からの演算結果が所定の閾値以下であるときに、前記切換部を介して前記データ線駆動回路に接続される、前記ｍ本のデータ線の接続順序を前回の接続順序と相異させることが好ましい。
【００２７】
この場合、上記電圧変化量が所定の閾値以下であるときでも、ｍ本のデータ線の接続順序が前回の接続順序と相異されるので、電圧変化量が比較的小さいときでも、縞模様がユーザに視認されるのを防ぐことができ、表示品位をより確実に向上させることができる。
【００２８】
また、本発明にかかるアクティブマトリクス型表示装置の駆動方法は、上記いずれかのアクティブマトリクス型表示装置の駆動方法であって、
前記演算部は、前記複数の画素毎に、前記電圧変化量の演算処理を行う際に、比較対象の２つの各電圧信号に対応する表示データを取得するとともに、それら２つの表示データの上位Ｌビット（Ｌは整数）どうしを比較することを特徴とするものである。
【００２９】
上記のように構成されたアクティブマトリクス型表示装置の駆動方法では、コストの低減を図ったときでも、表示品位を確実に向上させることができる。しかも、電圧変化量の演算処理が上記２つの表示データの上位Ｌビットどうしを比較することによって実行されているので、高精度な演算処理を高速に行うことができる。
【発明の効果】
【００３０】
本発明によれば、コストの低減を図ったときでも、表示品位を確実に向上させることができるアクティブマトリクス型表示装置、及びその駆動方法、並びにそれに用いられる駆動制御回路を提供することが可能となる。
【発明を実施するための最良の形態】
【００３１】
以下、本発明のアクティブマトリクス型表示装置、及びその駆動方法、並びにそれに用いられる駆動制御回路を示す好ましい実施形態について、図面を参照しながら説明する。尚、以下の説明では、本発明をアクティブマトリクス型液晶表示装置に適用した場合を例示して説明する。
【００３２】
［第１の実施形態］
図１は、本発明の第１の実施形態にかかるアクティブマトリクス型液晶表示装置及びパネル制御部の要部構成を説明する図である。図１において、本実施形態のアクティブマトリクス型液晶表示装置には、文字や画像等の情報を表示する表示部としての液晶パネル（図示せず）の駆動制御を行うパネル制御部１と、このパネル制御部１からの指示信号を基に動作するソースドライバ２及びゲートドライバ３とが設けられている。
【００３３】
パネル制御部１は、本実施形態の駆動制御回路を用いて構成されたものであり、外部から入力された映像信号を基に上記液晶パネルを駆動制御して、その映像信号に応じた情報を当該液晶パネルに表示させるようになっている。また、パネル制御部１には、入力された映像信号に対して所定の画像処理を行う画像処理部１ａと、画像処理部１ａからの通知信号に基づき後述の切換部の切換制御を行う駆動方向制御部１ｂと、入力された映像信号に含まれた１フレーム分の表示データを記憶可能なフレームバッファ１ｃとが設けられている。
【００３４】
ソースドライバ２及びゲートドライバ３は、上記液晶パネルに設けられ複数の画素を画素単位に駆動する駆動回路である。ソースドライバ２は、データ線駆動回路を構成するものであり、ソースドライバ２には、複数の出力信号線Ｓ１〜ＳＭ（Ｍは、２以上の整数）が設置されている。各出力信号線Ｓ１〜ＳＭには、図１に例示するように、複数の上記切換部を介在させて複数のデータ線ＳＲ１、ＳＧ１、ＳＢ１、ＳＲ２、ＳＧ２、ＳＢ２、…（以下、“Ｓ”にて総称する。）が接続されている。
【００３５】
具体的にいえば、複数のデータ線Ｓは、例えば３本１組として束ねられるとともに、この１組毎に切換部としての切換スイッチング素子を介在させていずれかの出力信号線Ｓ１〜ＳＭに接続されるようになっている。つまり、図１に例示するように、出力信号線Ｓ１には、切換スイッチング素子ＳＷＲ１、ＳＷＧ１、ＳＷＢ１の各一端側が接続されている。また、これらの切換スイッチング素子ＳＷＲ１、ＳＷＧ１、ＳＷＢ１の他端側には、データ線ＳＲ１、ＳＧ１、ＳＢ１がそれぞれ接続されている。
【００３６】
同様に、出力信号線Ｓ２には、切換スイッチング素子ＳＷＲ２、ＳＷＧ２、ＳＷＢ２の各一端側が接続されている。また、これら切換スイッチング素子ＳＷＲ２、ＳＷＧ２、ＳＷＢ２の他端側には、データ線ＳＲ２、ＳＧ２、ＳＢ２がそれぞれ接続されている。
【００３７】
各切換スイッチング素子ＳＷＲ１、ＳＷＧ１、ＳＷＢ１、ＳＷＲ２、ＳＷＧ２、ＳＷＢ２、…は、例えば薄膜トランジスタ（ＴＦＴ）を用いて構成されている。そして、これら各切換スイッチング素子ＳＷＲ１、ＳＷＧ１、ＳＷＢ１、ＳＷＲ２、ＳＷＧ２、ＳＷＢ２、…が、後に詳述するように、駆動方向制御部１ｂからの指示信号に基づいて、開閉動作することにより、例えば出力信号線Ｓ１は、データ線ＳＲ１、ＳＧ１、ＳＢ１のいずれかのデータ線に接続されるようになっている。
【００３８】
一方、ゲートドライバ３は、走査線駆動回路を構成するものであり、ゲートドライバ３には、複数の走査線Ｇ１〜ＧＮ（Ｎは、２以上の整数、以下、“Ｇ”にて総称する。）が接続されている。上記データ線Ｓ及び走査線Ｇは、マトリクス状に配列されており、当該マトリクス状に区画された各領域には、上記複数の各画素の領域が形成されている。
【００３９】
これらの複数の画素には、図１に例示するように、上記液晶パネル側に設けられた赤色（Ｒ）、緑色（Ｇ）、及び青色（Ｂ）のカラーフィルタ（図示せず）を用いてそれぞれ形成された赤色の画素Ｒ１１、Ｒ１２、Ｒ２１、Ｒ２２、…、緑色の画素Ｇ１１、Ｇ１２、Ｇ２１、Ｇ２２、…、及び青色の画素Ｂ１１、Ｂ１２、Ｂ２１、Ｂ２２、…、が含まれている。さらに、各画素では、走査線Ｇ上で隣接する画素との間に寄生容量Ｃが存在している。
【００４０】
また、走査線Ｇには、画素毎に設けられるとともに、薄膜トランジスタ（ＴＦＴ）からなるスイッチング素子４のゲートが接続されている。一方、データ線Ｓには、スイッチング素子４のソースが接続されている。また、スイッチング素子４のドレインには、画素毎に設けられた画素電極５が接続されている。また、各画素では、共通電極６が液晶パネルに設けられた液晶層を間に挟んだ状態で画素電極５に対向するように、構成されている。そして、ゲートドライバ３は、画像処理部１ａからの指示信号に基づいて、各走査線Ｇに対して、対応するスイッチング素子４のゲートをオン状態にするゲート信号を順次出力する。一方、ソースドライバ２は、画像処理部１ａからの指示信号に基づいて、表示すべき情報の輝度（階調）に応じた電圧信号（階調電圧）を、出力信号線Ｓ１〜ＳＭ及び切換部を経て対応するデータ線Ｓに出力する。
【００４１】
画像処理部１ａは、入力された映像信号に基づいて、複数の画素毎に上記指示信号を生成して、ソースドライバ２に出力するようになっている。詳細にいえば、映像信号には、画素毎の輝度を示す例えば８ビットの表示データが含まれており、画像処理部１ａが表示データを基に生成した指示信号をソースドライバ２に出力することにより、各画素に対してソースドライバ２からの電圧信号に応じた電圧が印加される。これにより、各画素では、その輝度が映像信号に応じて、２５６（＝２8）段階に分けられた、いずれかの階調に応じた輝度での表示が行われる。
【００４２】
また、画像処理部１ａには、ソースドライバ２及びゲートドライバ３の各々に対して、映像信号に応じた指示信号を生成する本来的な機能に加えて、演算部としての機能が付与されている。すなわち、画像処理部１ａには、複数の画素毎に、走査線Ｇ上で隣接する画素に対してソースドライバ２から出力される電圧信号と、当該隣接する画素に接続されたデータ線Ｓに対してソースドライバ２から直前に出力された電圧信号とを比較して、それら電圧信号の電圧変化量を演算する演算部が一体的に構成されている。
【００４３】
具体的にいえば、画像処理部１ａは、例えば画素Ｇ１２について、走査線Ｇ２（図示せず）上で隣接する画素Ｒ１２及びＢ１２での各電圧変化量を求めるようになっている。つまり、画像処理部１ａは、フレームバッファ１ｃに保持されている１フレーム分の表示データから画素Ｒ１２の表示データと、この画素Ｒ１２に接続されたデータ線ＳＲ１で１走査線前の画素Ｒ１１の表示データを取得する。そして、取得した画素Ｒ１２及びＲ１１の表示データのうち、例えば上記２ビットどうしを比較することにより、画素Ｒ１２での電圧変化量を算出する。
【００４４】
同様に、画像処理部１ａは、フレームバッファ１ｃから画素Ｂ１２の表示データと、この画素Ｂ１２に接続されたデータ線ＳＢ１で１走査線前の画素Ｂ１１の表示データを取得する。そして、取得した画素Ｂ１２及びＢ１１の表示データのうち、例えば上記２ビットどうしを比較することにより、画素Ｂ１２での電圧変化量を算出する。このように、画像処理部１ａは、画素Ｇ１２に関する電圧変化量の演算結果として、画素Ｒ１２及びＢ１２での算出した電圧変化量を求め、求めた演算結果を、上記通知信号に含めて駆動方向制御部１ｂに出力する。
【００４５】
以上のように、走査線Ｇ２〜ＧＮ上の各画素では、接続された走査線Ｇ上で隣接する画素での電圧変化量が求められ、画像処理部１ａは、通知信号として駆動方向制御部１ｂに出力する。
【００４６】
また、一番上の走査線Ｇ１上の各画素、例えば画素Ｒ１１では、同走査線Ｇ１上で隣接する画素Ｇ１１の表示データがフレームバッファ１ｃから画像処理部１ａに抽出される。また、この画素Ｇ１１に接続されたデータ線ＳＧ１に対し直前に出力された電圧信号として、例えば垂直帰線期間中にソースドライバ２から当該データ線ＳＧ１に出力された電圧信号が選択され、その電圧信号に対応した表示データが図示を省略したメモリから画像処理部１ａに抽出される。そして、画像処理部１ａでは、走査線Ｇ２〜ＧＮ上の各画素と同様に、隣接する画素での電圧変化量が求められ、画像処理部１ａは、通知信号として駆動方向制御部１ｂに出力する。
【００４７】
尚、上記垂直帰線期間中にデータ線ＳＧ１に電圧信号が出力されない場合では、１フレーム前の表示画像において、当該データ線ＳＧ１及び走査線ＧＮの交差部の近傍に設けられた画素Ｇ１Ｎ（図示せず）に出力された電圧信号の表示データが上記メモリから画像処理部１ａに抽出される。そして、画像処理部１ａでは、上記電圧変化量が求められて、通知信号として駆動方向制御部１ｂに出力される。
【００４８】
尚、上記メモリを設ける代わりに、例えばフレームバッファ１６ｃに、垂直帰線期間中に出力された電圧信号や画素Ｇ１Ｎに出力された電圧信号の上記表示データを一時的に記憶させる構成でもよい。
【００４９】
駆動方向制御部１ｂは、画像処理部１ａからの演算結果を用いて、上記切換スイッチング素子ＳＷＲ１、ＳＷＧ１、ＳＷＢ１、ＳＷＲ２、ＳＷＧ２、ＳＷＢ２、…（切換部）の駆動制御を行う制御部に用いられている。つまり、駆動方向制御部１ｂは、上記の演算結果を使用して、出力信号線Ｓ１〜ＳＭ毎に、上記切換部の接続順序を決定するようになっている。
【００５０】
具体的には、駆動方向制御部１ｂは、例えば切換スイッチング素子ＳＷＲ１、ＳＷＧ１、ＳＷＢ１を介してソースドライバ２に接続される３本のデータ線ＳＲ１、ＳＧ１、ＳＢ１の接続順序を定める。そして、駆動方向制御部１ｂは、定めた接続順序に従って、切換スイッチング素子ＳＷＲ１、ＳＷＧ１、ＳＷＢ１の各開閉動作を行わせて、対応するデータ線ＳＲ１、ＳＧ１、ＳＢ１を上記接続順序に応じてソースドライバ２に順次接続させる。
【００５１】
また、駆動方向制御部１ｂは、全ての画素に対し、ソースドライバ２から電圧信号が出力されたか否かについて判別するように構成されている。具体的には、駆動方向制御部１ｂは、例えば映像信号に含まれたフレームの開始を示すフレーム信号を入力したときに、前回の１フレーム分（１表示画面分）の電圧信号が全ての画素に対して出力されたと判別するようになっている。
【００５２】
尚、上記の説明以外に、例えばパネル制御部１の内部で用いられているクロック信号を利用して、駆動方向制御部１ｂが１表示画面分の電圧信号が全ての画素に対して出力されたか否かについて判別する構成でもよい。
【００５３】
さらに、駆動方向制御部１ｂは、出力信号線Ｓ１〜ＳＭ毎の上記切換部での接続順序の決定処理を行う際に、画像処理部１ａからの演算結果が所定の閾値以下か否かについて判別し、演算結果が上記閾値を越えるときには、その演算結果に従って、接続順序を決定する。
【００５４】
一方、演算結果が閾値以下であるときには、駆動方向制御部１ｂは、全ての画素に対し、ソースドライバ２から電圧信号が出力されたことを判別した後に、閾値以下と判別した対応する３本のデータ線Ｓの接続順序を前回の接続順序と相異させるようになっている。すなわち、駆動方向制御部１ｂは、電圧変化量が閾値以下であるときには、前回のフレーム表示での接続順序を強制的に変更させるようになっている。
【００５５】
より具体的にいえば、例えば前回のフレーム表示において、データ線ＳＲ１、ＳＧ１、ＳＢ１がこの順番で出力信号線Ｓ１に順次接続されている場合、駆動方向制御部１ｂは、上記順番とは相異する、例えばデータ線ＳＢ１、ＳＧ１、ＳＲ１の順番で出力信号線Ｓ１に順次接続させる。
【００５６】
ここで、図２乃至図４も参照して、本実施形態のアクティブマトリクス型液晶表示装置の動作について具体的に説明する。尚、以下の説明では、画像処理部１ａ及び駆動方向制御部１ｂでの上記接続順序の決定処理について、主に説明する。
【００５７】
図２は、図１に示したアクティブマトリクス型液晶表示装置の駆動時での各部における電圧波形を示すグラフである。図３は図１に示した赤色及び緑色の各画素に出力される電圧信号の具体的な波形を示すグラフであり、図３（ａ）及び図３（ｂ）はそれぞれ隣接する画素の電圧変化量が比較的大きい場合及び比較的小さい場合での電圧信号の波形を示すグラフである。図４は、図１に示した画素での具体的な接続順序を説明する図である。
【００５８】
まず、図１〜図３を用いて、寄生容量Ｃによる電圧変動について具体的に説明する。尚、図２では、説明の簡略化のために、出力信号線Ｓ１から画素Ｒ１１、Ｇ１１、Ｂ１１に出力される電圧信号が全て同じ大きさである場合を例示して説明する。
【００５９】
図２に示すように、走査線Ｇ１に対して接続されたスイッチング素子４をオン状態とする上記ゲート信号ＧＬ１がゲートドライバ３から出力されている間に、駆動方向制御部１ｂが、切換スイッチング素子ＳＷＲ１、ＳＷＧ１、ＳＷＢ１の順番で閉動作及び開動作させる。このとき、切換スイッチング素子ＳＷＲ１が選択されて閉動作されている間に、対応する画素Ｒ１１への出力電圧が出力信号線Ｓ１を介して出力されると、その画素Ｒ１１のスイッチング素子４のソース側の電位Ｓ１Ｒ１は、出力信号線Ｓ１からの電圧信号に応じて上昇する。また、このとき、画素Ｇ１１、Ｂ１１のスイッチング素子４のソース側の電位Ｓ１Ｇ１、Ｓ１Ｂ１もまた、寄生容量Ｃにより、図２に点線にて示した電位から実線にて示した電位に突き上げられる。
【００６０】
同様に、切換スイッチング素子ＳＷＧ１が選択されて閉動作されている間に、対応する画素Ｇ１１への出力電圧が出力信号線Ｓ１を介して出力されると、同時に、電位Ｓ１Ｒ１、Ｓ１Ｂ１もまた突き上げられる。また、切換スイッチング素子ＳＷＢ１が選択されて閉動作されている間に、対応する画素Ｂ１１への出力電圧が出力信号線Ｓ１を介して出力されると、同時に、電位Ｓ１Ｒ１、Ｓ１Ｇ１もまた突き上げられる。そして、この切換スイッチング素子ＳＷＢ１が選択されている場合では、同図に示すように、電位Ｓ１Ｒ１は２回突き上げられ、電位Ｓ１Ｇ１は１回突き上げられ、Ｓ１Ｂ１は０回突き上げられることになる。
【００６１】
また、画素Ｒ１１、Ｇ１１、Ｂ１１のスイッチング素子４のドレイン側の電位Ｄ１Ｒ１、Ｄ１Ｇ１、Ｄ１Ｂ１は、上記ゲート信号ＧＬ１がローレベルとされた時点、すなわち画素Ｒ１１、Ｇ１１、Ｂ１１の各スイッチング素子４のゲートがオフ状態とされて当該スイッチング素子４が閉じられる時点で、ゲート寄生容量による突き下げられる。この結果、ドレイン側の電位Ｄ１Ｒ１、Ｄ１Ｇ１、Ｄ１Ｂ１は、ソース側の電位Ｓ１Ｒ１、Ｓ１Ｇ１、Ｓ１Ｂ１よりもそれぞれ若干低い電圧レベルとされた後、対応する画素Ｒ１１、Ｇ１１、Ｂ１１の液晶容量に印加されて保持される。
【００６２】
また、上記のように各画素Ｒ１１、Ｇ１１、Ｂ１１に対して、出力信号線Ｓ１から同じ大きさの電圧信号が出力されている場合でも、寄生容量に起因する電位の突き上げ回数が異なるため、ドレイン側の電位Ｄ１Ｒ１、Ｄ１Ｇ１、Ｄ１Ｂ１は互いに異なる電圧レベルとなり、縞模様の発生原因となる。
【００６３】
また、上記の説明では、ソース側の電位Ｓ１Ｒ１、Ｓ１Ｇ１、Ｓ１Ｂ１（ドレイン側の電位Ｄ１Ｒ１、Ｄ１Ｇ１、Ｄ１Ｂ１）が突き上げられる場合を示したが、出力信号線Ｓ１からの電圧信号において、１走査線前の電圧信号から低い電圧信号が出力される場合では、ソース側の電位Ｓ１Ｒ１、Ｓ１Ｇ１、Ｓ１Ｂ１（ドレイン側の電位Ｄ１Ｒ１、Ｄ１Ｇ１、Ｄ１Ｂ１）は突き下げられる。
【００６４】
以上のように、縞模様の原因となる電圧変動は、任意の画素の、隣接する画素における出力電圧の、１走査線（ライン）Ｇ前からの電圧変化量に依存する。具体的には、図３（ａ）に示すように、画素Ｇ１１での電圧変化量が比較的大きい場合では、画素Ｒ１１での電圧変動（電位の突き上げ量）も大きくなる。一方、図３（ｂ）に示すように、画素Ｇ１１での電圧変化量が比較的小さい場合では、画素Ｒ１１での電圧変動（電位の突き上げ量）も小さくなる。
【００６５】
そこで、本実施形態では、画像処理部１ａが複数の各画素における、上記電圧変化量を演算して駆動方向制御部１ｂに通知している。また、駆動方向制御部１ｂでは、通知された電圧変化量を用いて、対応する切換スイッチング素子（切換部）での動作順序を決定し、かつ、対応する出力信号線とデータ線との接続順序を定める。具体的にいえば、図５に例示するように、駆動方向制御部１ｂには、出力信号線Ｓ１に接続されるｎラインの各画素Ｒ１２、Ｇ１２、Ｂ１２に関して、隣接する画素での電圧変化量が画像処理部１ａから通知される。
【００６６】
すなわち、駆動方向制御部１ｂには、画素Ｒ１２に関して、隣接する画素Ｇ１２での電圧変化量（当該画素Ｇ１２の電圧信号から画素Ｇ１１の電圧信号を引き算したもの）が通知される。また、画素Ｇ１２に関して、隣接する画素Ｒ１２での電圧変化量（当該画素Ｒ１２の電圧信号から画素Ｒ１１の電圧信号を引き算したもの）と、隣接する画素Ｂ１２での電圧変化量（当該画素Ｂ１２の電圧信号から画素Ｂ１１の電圧信号を引き算したもの）とが通知される。
【００６７】
また、画素Ｂ１２に関して、隣接する画素Ｇ１２での電圧変化量（当該画素Ｇ１２の電圧信号から画素Ｇ１１の電圧信号を引き算したもの）と、隣接する画素Ｒ２１での電圧変化量（当該画素Ｒ２１の電圧信号から画素Ｒ２２の電圧信号を引き算したもの）とが通知される。そして、駆動方向制御部１ｂでは、画素Ｒ１２、Ｇ１２、Ｂ１２の電圧変化量を比較して、電圧変化量が例えば大きい方から小さい方となる順番を求めて、その順番に従って、対応するデータ線ＳＲ１、ＳＧ１、ＳＢ１を出力信号線Ｓ１に順次接続させる。
【００６８】
また、駆動方向制御部１ｂは、画素Ｒ１２、Ｇ１２、Ｂ１２の全ての電圧変化量が上記所定の閾値以下であることを判別したときには、これらの画素Ｒ１２、Ｇ１２、Ｂ１２での出力信号線Ｓ１への接続順序を前回の接続順序と相異させるようになっている。
【００６９】
以上のように構成された本実施形態のアクティブマトリクス型液晶表示装置では、画像処理部（演算部）１ａが、複数の画素毎に、走査線Ｇ上で隣接する画素に対してソースドライバ（データ線駆動回路）２から出力される電圧信号と、当該隣接する画素に接続されたデータ線Ｓに対してソースドライバ２から直前に出力された電圧信号とを比較して、それらの電圧信号の電圧変化量を演算している。また、駆動方向制御部（制御部）１ｂが画像処理部１ａの演算結果を用いて、切換スイッチング素子ＳＷＲ１、ＳＷＧ１、ＳＷＢ１、…（切換部）の駆動制御を行っている。これにより、本実施形態では、駆動方向制御部１ｂは、複数の画素毎に、その画素と隣接する画素との間に存在する寄生容量による電圧変動の悪影響を極力抑制しつつ、表示データに応じて、切換スイッチング素子ＳＷＲ１、ＳＷＧ１、ＳＷＢ１、…の駆動制御を適切に行うことができる。この結果、本実施形態では、上記従来例と異なり、表示データに関わらず、縞模様がユーザに視認されるのを防ぐことができ、コストの低減を図ったときでも、表示品位を確実に向上させることができる。
【００７０】
また、本実施形態では、画像処理部１ａが電圧変化量の演算処理を行う際に、比較対象の２つの電圧信号に対応した表示データの上位Ｌビットどうしを比較することによって当該演算処理が実行されているので、画像処理部１ａは、高精度な演算処理を高速に行うことができる。
【００７１】
また、本実施形態では、駆動方向制御部１ｂは各出力信号線Ｓ１〜ＳＭに接続される３本のデータ線Ｓにおいて、画像処理部１ａからの通知された全ての電圧変化量が所定の閾値以下であるとき、当該３本のデータ線Ｓの接続順序が前回の接続順序と相異させて対応する出力信号線Ｓ１〜ＳＭに接続させるので、電圧変化量が比較的小さいときでも、縞模様がユーザに視認されるのを防ぐことができ、表示品位をより確実に向上させることができる。
【００７２】
［第２の実施形態］
図５は、本発明の第２の実施形態にかかるアクティブマトリクス型液晶表示装置及びパネル制御部の要部構成を説明する図である。図において、本実施形態と上記第１の実施形態との主な相違点は、駆動方向制御部に代えて、画像処理部からの演算結果を使用して、前記複数の画素毎に、ソースドライバから対応する画素に出力される電圧信号を補正する電圧補正部を用いた点である。なお、上記第１の実施形態と共通する要素については、同じ符号を付して、その重複した説明を省略する。
【００７３】
すなわち、図５に示すように、本実施形態のパネル制御部１１には、外部から入力された映像信号に対して所定の画像処理を行う画像処理部１１ａと、画像処理部１１ａからの通知信号に基づいてソースドライバ２から対応する画素に出力される電圧信号を補正する電圧補正部１１ｂと、画像処理部１１ａからの指示信号を基に切換スイッチング素子ＳＷＲ１、ＳＷＧ１、ＳＷＢ１、…（切換部）の駆動制御を行う切換制御部１１ｃと、入力された映像信号に含まれた１フレーム分の表示データを記憶可能なフレームバッファ１１ｄとが設けられている。
【００７４】
電圧補正部１１ｂ及び切換制御部１１ｃは、演算部としての画像処理部１１ａからの演算結果を用いて、ソースドライバ２及び上記切換部の駆動制御をそれぞれ行う制御部に用いられている。すなわち、電圧補正部１１ｂは、複数の画素毎に、画像処理部１１ａから上記電圧変化量を取得し、その取得した電圧変化量を基に電圧信号の補正値を決定する。そして、電圧補正部１１ｂは、決定した補正値にて補正した電圧信号（表示データ）を新たな電圧信号としてソースドライバ２に出力する。その後、ソースドライバ２は、電圧補正部１１ｂから指示された新たな電圧信号を、対応する画素に出力する。
【００７５】
具体的にいえば、電圧補正部１１ｂは、補正値が画像処理部１１ａからの電圧変化量にほぼ比例するように当該補正値を定めている。また、電圧補正部１１ｂは、第１の実施形態の駆動方向制御部１ｂと同様に、電圧変化量が所定の閾値以下であることを判別したときには、補正値を“０”として対応する電圧信号の補正を行わせない。
【００７６】
切換制御部１１ｃは、予め定められた順番で、切換スイッチング素子ＳＷＲ１、ＳＷＧ１、ＳＷＢ１、…の開閉動作を行うようになっている。また、この切換制御部１１ｃは、上記駆動方向制御部１ｂと同様に、全ての画素に対し、ソースドライバ２から電圧信号が出力されたか否かについて判別するように構成されるとともに、画像処理部１１ａからの演算結果が所定の閾値以下か否かについて判別するようになっている。そして、切換制御部１１ｃは、演算結果が上記閾値を越えるときには、予め定められた順番で、切換スイッチング素子ＳＷＲ１、ＳＷＧ１、ＳＷＢ１、…の開閉動作を行う。
【００７７】
一方、演算結果が閾値以下であるとき、つまり電圧補正部１１ｂが補正値を０と決定したときには、切換制御部１１ｃは、駆動方向制御部１ｂと同様に、全ての画素に対し、ソースドライバ２から電圧信号が出力されたことを判別した後に、閾値以下と判別した対応する３本のデータ線Ｓの接続順序を前回の接続順序と相異させるようになっている。
【００７８】
上記フレームバッファ１１ｄでは、電圧補正部１１ｂが補正する前の１フレーム分の表示データに加えて、当該電圧補正部１１ｂが生成した画素単位の補正値のデータも記憶するように構成されている。これにより、本実施形態では、外部から入力された映像信号のオリジナルな表示データを保持することができる。
【００７９】
以上の構成により、本実施形態では、第１の実施形態と同様な作用効果を奏することができる。つまり、本実施形態では、電圧補正部（制御部）１１ｂは表示データに応じて、複数の各画素に出力される電圧信号を補正することができ、表示データに関わらず、縞模様がユーザに視認されるのを防いで、コストの低減を図ったときでも、表示品位を確実に向上させることができる。
【００８０】
［第３の実施形態］
図６は、本発明の第３の実施形態にかかるアクティブマトリクス型液晶表示装置及びパネル制御部の要部構成を説明する図である。図７は、図６に示したソースドライバの具体的な構成を示すブロック図である。図において、本実施形態と上記第２の実施形態との主な相違点は、ソースドライバ側で、各出力信号線Ｓ１〜ＳＭに接続される、切換スイッチング素子ＳＷＲ１、ＳＷＧ１、ＳＷＢ１、…（切換部）毎に電圧補正部を設けた点である。なお、上記第２の実施形態と共通する要素については、同じ符号を付して、その重複した説明を省略する。
【００８１】
すなわち、図６に示すように、本実施形態のパネル制御部２１には、外部から入力された映像信号に対して所定の画像処理を行う画像処理部２１ａと、画像処理部２１ａからの指示信号を基に切換スイッチング素子ＳＷＲ１、ＳＷＧ１、ＳＷＢ１、…（切換部）の駆動制御を行う切換制御部２１ｂと、入力された映像信号に含まれた１フレーム分の表示データを記憶可能なフレームバッファ２１ｃとが設けられている。
【００８２】
切換制御部２１ｂは、上記第２の実施形態のものと同様に、予め定められた順番で、切換スイッチング素子ＳＷＲ１、ＳＷＧ１、ＳＷＢ１、…の開閉動作を行うようになっている。また、この切換制御部２１ｂは、上記駆動方向制御部１ｂと同様に、全ての画素に対し、ソースドライバ２から電圧信号が出力されたか否かについて判別するように構成されるとともに、画像処理部２１ａからの演算結果が所定の閾値以下か否かについて判別するようになっている。そして、切換制御部２１ｂは、演算結果が上記閾値を越えるときには、予め定められた順番で、切換スイッチング素子ＳＷＲ１、ＳＷＧ１、ＳＷＢ１、…の開閉動作を行う。
【００８３】
一方、演算結果が閾値以下であるときには、切換制御部２１ｂは、駆動方向制御部１ｂと同様に、全ての画素に対し、ソースドライバ２から電圧信号が出力されたことを判別した後に、閾値以下と判別した対応する３本のデータ線Ｓの接続順序を前回の接続順序と相異させるようになっている。
【００８４】
また、本実施形態では、図７に示すように、電圧補正部１５がソースドライバ２’の内部で、各出力信号線Ｓ１〜ＳＭに接続される、切換スイッチング素子ＳＷＲ１、ＳＷＧ１、ＳＷＢ１、…（切換部）毎に設けられている。つまり、本実施形態では、画像処理部２１ａからの上記通知信号はソースドライバ２’に出力されるようになっており、当該ソースドライバ２’の内部に設けられたＭ個の電圧補正部１５が対応する電圧変化量を用いて、電圧信号の補正値を決定するようになっている。
【００８５】
詳細にいえば、ソースドライバ２’の内部には、画像処理部２１ａからの映像信号に応じた指示信号に基づいて、各出力信号線Ｓ１〜ＳＭに接続される３本の各データ線への電圧信号を生成するために、シフトレジスタ１２、ラッチ回路１３、レベルシフタ１４、電圧補正部１５、及びＤ／Ａコンバータ１６が設けられている。
【００８６】
シフトレジスタ１２には、例えば出力信号線Ｓ１に接続される３本の各データ線ＳＲ１、ＳＧ１、及びＳＢ１にそれぞれ接続された画素Ｒ１１、Ｒ１２、…、Ｇ１１、Ｇ１２、…、及びＢ１１、Ｂ１２、…での各輝度（階調）を指示する指示信号に対応した上記８ビットの表示データが入力される。また、シフトレジスタ１２では、１走査線Ｇに接続された例えば画素Ｒ１１、Ｇ１１、及びＢ１１の表示データが入力されると、それらの表示データをラッチ回路１３に出力する。その後、画素Ｒ１１、Ｇ１１、及びＢ１１の表示データは、ラッチ回路１３からレベルシフタ１４に出力された後、電圧補正部１５に出力される。
【００８７】
この電圧補正部１５には、第２の実施形態の電圧補正部１１ｂと同様に、画像処理部２１ａから画素Ｒ１１、Ｇ１１、及びＢ１１についての各電圧変化量が通知されており、電圧補正部１５は、対応する電圧変化量を基に各画素Ｒ１１、Ｇ１１、及びＢ１１での表示データ（電圧信号）の補正値を決定して、その決定した補正値にて補正された表示データをＤ／Ａコンバータ１６に出力する。そして、Ｄ／Ａコンバータ１６が、補正後の表示データにＤ／Ａ変換処理を施すことにより、画素Ｒ１１、Ｇ１１、及びＢ１１への各電圧信号を生成して、対応するデータ線ＳＲ１、ＳＧ１、ＳＢ１を介して出力するようになっている。
【００８８】
以上の構成により、本実施形態では、第２の実施形態と同様な作用効果を奏することができる。つまり、本実施形態では、電圧補正部（制御部）１５は表示データに応じて、複数の各画素に出力される電圧信号を補正することができ、表示データに関わらず、縞模様がユーザに視認されるのを防いで、コストの低減を図ったときでも、表示品位を確実に向上させることができる。
【００８９】
また、本実施形態では、電圧補正部１５がソースドライバ２’の内部で、各出力信号線Ｓ１〜ＳＭに接続される、切換スイッチング素子ＳＷＲ１、ＳＷＧ１、ＳＷＢ１、…（切換部）毎に設けられているので、電圧補正部１５は複数の各データ線Ｓへの電圧信号の補正処理を容易に行うことができる。
【００９０】
［第４の実施形態］
図８は、本発明の第４の実施形態にかかるアクティブマトリクス型液晶表示装置及びパネル制御部の要部構成を説明する図である。図９（ａ）及び図９（ｂ）はそれぞれＲＧＢの三色及びＲＧＢＷの四色のカラーフィルタを用いた場合での上記画素の設置例を説明する図である。図において、本実施形態と上記第１の実施形態との主な相違点は、赤色（Ｒ）、緑色（Ｇ）、及び青色（Ｂ）のＲＧＢの三色とＲＧＢ以外の色とを含む四色以上の各色を表示するための複数色の画素を複数の画素に設けた。また、外部から入力されたＲＧＢの画素にそれぞれ対応したＲＧＢの表示データを、上記複数色の画素にそれぞれ対応した多色の表示データに変換するデータ変換部を設置した点である。なお、上記第１の実施形態と共通する要素については、同じ符号を付して、その重複した説明を省略する。
【００９１】
すなわち、図８に例示するように、本実施形態では、赤色（Ｒ）、緑色（Ｇ）、及び青色（Ｂ）のＲＧＢの三色をそれぞれ表示するための赤色、緑色、及び青色の画素Ｒ１１、Ｒ２１、Ｒ１２、Ｇ１１、Ｇ２１、Ｇ１２、及びＢ１１、Ｂ１２、Ｂ２２に加えて、白色（Ｗ）を表示するための白色の画素Ｗ１１、Ｗ１２、Ｗ２２がマトリクス状に配設されている。また、本実施形態では、各出力信号線Ｓ１〜ＳＭに対して、ＲＧＢＷの四色の画素にそれぞれ電圧信号を出力する、４本のデータ線Ｓが適宜接続されるようになっている。
【００９２】
具体的にいえば、出力信号線Ｓ１には、切換部としての切換スイッチング素子ＳＷ１ａ、ＳＷ１ｂ、ＳＷ１ｃ、及びＳＷ１ｄをそれぞれ介在させて、データ線Ｓ１ａ、Ｓ１ｂ、Ｓ１ｃ、及びＳ１ｄが接続可能に構成されている。同様に、出力信号線Ｓ２には、切換部としての切換スイッチング素子ＳＷ２ａ、ＳＷ２ｂ、…をそれぞれ介在させて、データ線Ｓ２ａ、Ｓ２ｂ、…が接続可能に構成されている。また、データ線Ｓ１ａには、画素Ｒ１１、Ｂ１２が接続され、データ線Ｓ１ｂには、画素Ｇ１１、Ｗ１２が接続されている。データ線Ｓ１ｃには、画素Ｂ１１、Ｒ１２が接続され、データ線Ｓ１ｄには、画素Ｗ１１、Ｇ１２が接続されている。データ線Ｓ２ａには、画素Ｒ２１、Ｂ２２が接続され、データ線Ｓ２ｂには、画素Ｇ２１、Ｗ２２が接続されている。
【００９３】
また、本実施形態のパネル制御部３１には、外部から入力された映像信号に対して所定の画像処理を行う画像処理部３１ａと、画像処理部３１ａからの通知信号に基づいて、切換スイッチング素子ＳＷ１ａ、ＳＷ１ｂ、ＳＷ１ｃ、ＳＷ１ｄ、ＳＷ２ａ、ＳＷ２ｂ、…（切換部）の駆動制御を行う駆動方向制御部３１ｂと、入力された映像信号に含まれた１フレーム分の表示データを記憶可能なフレームバッファ３１ｃとが設けられている。
【００９４】
画像処理部３１ａの内部には、データ変換部３１ａ１が組み込まれており、外部から入力された映像信号に含まれた表示データを上記ＲＧＢＷの各画素用の表示データに変換するようになっている。すなわち、本実施形態では、画像処理部３１ａとデータ変換部３１ａ１とが、一体的に構成されている。そして、データ変換部３１ａ１は、上記映像信号に含まれた画素Ｒ１１、Ｒ２１、Ｒ１２、Ｇ１１、Ｇ２１、Ｇ１２、及びＢ１１、Ｂ１２、Ｂ２２などのＲＧＢの画素にそれぞれ対応したＲＧＢの表示データを、画素Ｗ１１、Ｗ１２、Ｗ２２などの白色の画素を含んだＲＧＢＷの画素にそれぞれ対応した多色の表示データに変換するようになっている。
【００９５】
具体的にいえば、パネル制御部３１に入力される映像信号には、ＲＧＢの各画素での輝度を指示する上記８ビットの表示データが含まれている。そして、データ変換部３１ａ１では、入力された映像信号のうち、例えば図９（ａ）に黒枠にて囲んだＲＧＢの表示データを、同図９（ｂ）に黒枠にて囲んだＲＧＢＷの表示データに変換する。すなわち、データ変換部３１ａ１では、４本１組として束ねられたデータ線Ｓと、そのデータ線Ｓに交差する走査線Ｇとで規定されるＲＧＢＷの画素毎に、所定の演算式を用いて、入力されたＲＧＢの表示データをＲＧＢＷの表示データに変換するようになっている。
【００９６】
また、このデータ変換部３１ａ１には、第２の実施形態に示した電圧補正部１１ｂの機能が付与されており、ＲＧＢＷの表示データに変換するときに、ソースドライバ２から対応する画素に出力される電圧信号の補正値を決定する。そして、データ変換部３１ａ１は、決定した補正値にて補正した電圧信号（表示データ）を新たな電圧信号としてソースドライバ２に出力するようになっている。
【００９７】
詳細にいえば、データ変換部３１ａ１がＲＧＢの表示データをＲＧＢＷの表示データに変換した後、データ変換部３１ａ１では、ＲＧＢＷの色毎に上記電圧変化量が求められる。さらに、データ変換部３１ａ１では、求められた電圧変化量を基に対応する各色の電圧信号の補正値が決定されて、新たな電圧信号としてソースドライバ２に出力される。
【００９８】
また、本実施形態のパネル制御部３１では、第１の実施形態と同様に、駆動方向制御部３１ｂが画像処理部３１ａからの演算結果を用いて、出力信号線Ｓ１〜ＳＭ毎に、上記切換部の接続順序を決定するようになっている。具体的には、駆動方向制御部３１ｂは、例えば切換スイッチング素子ＳＷ１ａ、ＳＷ１ｂ、ＳＷ１ｃ、ＳＷ１ｄを介してソースドライバ２に接続される４本のデータ線Ｓ１ａ、Ｓ１ｂ、Ｓ１ｃ、Ｓ１ｄの接続順序を定める。そして、駆動方向制御部３１ｂは、定めた接続順序に従って、切換スイッチング素子ＳＷ１ａ、ＳＷ１ｂ、ＳＷ１ｃ、ＳＷ１ｄの各開閉動作を行わせて、対応するデータ線Ｓ１ａ、Ｓ１ｂ、Ｓ１ｃ、Ｓ１ｄを上記接続順序に応じてソースドライバ２に順次接続させる。
【００９９】
以上の構成により、本実施形態では、第１の実施形態と同様な作用効果を奏することができる。つまり、本実施形態では、駆動方向制御部（制御部）３１ｂが表示データに応じて、切換スイッチング素子ＳＷ１ａ、ＳＷ１ｂ、ＳＷ１ｃ、ＳＷ１ｄ…の駆動制御を適切に行うことができる。また、本実施形態では、データ変換部３１ａ１が外部から入力されたＲＧＢの表示データをＲＧＢＷの表示データに変換するとともに、ＲＧＢＷの各画素に出力される電圧信号を補正している。これにより、本実施形態では、四色以上の複数色の画素を有する高性能なアクティブマトリクス型液晶表示装置においても、データ変換部３１ａ１が外部からのＲＧＢの表示データを適切な多色の表示データに変換することができ、表示品位を確実に向上させることができる。
【０１００】
さらに、本実施形態では、データ変換部３１ａ１は、表示データに応じて、複数の各画素に出力される電圧信号を補正することができ、表示データに関わらず、縞模様がユーザに視認されるのを防いで、コストの低減を図ったときでも、表示品位をより確実に向上させることができる。
【０１０１】
尚、上記の各実施形態はすべて例示であって制限的なものではない。本発明の技術的範囲は特許請求の範囲によって規定され、そこに記載された構成と均等の範囲内のすべての変更も本発明の技術的範囲に含まれる。
【０１０２】
例えば、上記の説明では、本発明をアクティブマトリクス型液晶表示装置に適用した場合について説明したが、本発明はこれに限定されるものではなく、有機ＥＬ（Electronic Luminescence）素子、無機ＥＬ素子、電界放出ディスプレイ（Field Emission Display）などの各種アクティブマトリクス型表示装置に適用することができる。
【０１０３】
また、上記の説明では、３本１組または４本１組としてデータ線を束ねるとともに、３本１組または４本１組のデータ線とデータ線駆動回路の出力信号線との間に３個または４個の切換スイッチング素子（切換部）を設置した構成について説明したが、本発明はｍ本（ｍは２以上の整数）のデータ線を１組として、切換部がデータ線駆動回路とｍ本の各データ線との間の接続を選択的に切り換えられるものであればよい。すなわち、本発明はデータ線駆動回路からの出力信号線の設置数を削減してコスト低減を図ることができるものであれば、１組として束ねられるデータ線の本数は上記のものに何等限定されない。
【０１０４】
また、上記の説明では、切換スイッチング素子およびスイッチング素子に薄膜トランジスタを用いた場合について説明したが、本発明の切換スイッチング素子およびスイッチング素子はこれに何等限定されない。具体的には、切換スイッチング素子には、例えばロータリスイッチやマルチプレクサなどのスイッチング素子を使用することができる。また、上記のようなロータリスイッチなどを切換部に使用する場合では、当該切換部に含まれるスイッチング素子の設置数を削減できる点で好ましい。
【０１０５】
一方、スイッチング素子には、電界効果トランジスなどの他の３端子あるいは薄膜ダイオードなどの２端子のスイッチング素子を使用することもできる。
【０１０６】
また、上記の説明では、画像処理部に演算部の機能を付与してこれら画像処理部と演算部とを一体的に構成した場合について説明したが、本発明はこれに限定されるものでなく、画像処理部と演算部とを互いに独立して設けた構成でもよい。
【０１０７】
また、上記の説明では、演算部が、比較対象の２つの表示データについて、それらの上位２ビットどうしを比較することにより、電圧変化量の演算処理を行う構成について説明したが、本発明はこれに限定されるものではなく、例えば表示データの全てのビットどうしを比較してもよい。但し、上記のように上位Ｌビット（Ｌは整数）どうしを比較する場合の方が、高精度な演算処理を高速に実行できる点で好ましい。
【０１０８】
また、上記の説明では、フレームバッファを用いた構成について説明したが、本発明はこれに限定されるものではなく、例えば２つのラインバッファ（メモリ）を設けることにより、上記電圧変化量を演算して求めることができる。
【０１０９】
また、上記の第４の実施形態の説明では、画像処理部内にデータ変換部を組み込んで、これらの画像処理部とデータ変換部とを一体的に構成した場合について説明したが、本発明はこれに限定されるものでなく、画像処理部とデータ変換部とを互いに独立して設けた構成でもよい。
【０１１０】
但し、上記のように、データ変換部と電圧補正部の機能が付与された画像処理部とを一体的に構成した場合の方が、電圧補正部の設置を省略した構造簡単なアクティブマトリクス型表示装置または駆動制御回路を容易に構成することができる点で好ましい。
【０１１１】
また、上記の説明以外に、データ変換部を、第１〜第３の各実施形態に示したパネル制御部（駆動制御回路）に設けることもできる。このようにデータ変換部を設けた場合では、第４の実施形態と同様に、多色カラーフィルタによる複数色の画素を有する液晶パネルに対応することができる。
【０１１２】
また、上記の第４の実施形態の説明では、ＲＧＢＷのカラーフィルタを用いた赤色、緑色、青色、及び白色の画素を有する構成について説明したが、本発明はこれに限定されるものではなく、例えばＲＧＢ＋Ｙ（黄色）などの他の４色のカラーフィルタや、ＲＧＢ＋Ｙ＋Ｃ（シアン）などの５色のカラーフィルタ、ＲＧＢ＋Ｙ＋Ｃ＋Ｗなどの６色のカラーフィルタを用いた複数色の画素を有する構成に対しても、本発明を適用することができる。
【産業上の利用可能性】
【０１１３】
本発明は、コストの低減を図ったときでも、表示品位を確実に向上させることができるアクティブマトリクス型表示装置、及びその駆動方法、並びにそれに用いられる駆動制御回路に対して有効である。
【図面の簡単な説明】
【０１１４】
【図１】本発明の第１の実施形態にかかるアクティブマトリクス型液晶表示装置及びパネル制御部の要部構成を説明する図である。
【図２】図１に示したアクティブマトリクス型液晶表示装置の駆動時での各部における電圧波形を示すグラフである。
【図３】図１に示した赤色及び緑色の各画素に出力される電圧信号の具体的な波形を示すグラフであり、（ａ）及び（ｂ）はそれぞれ隣接する画素の電圧変化量が比較的大きい場合及び比較的小さい場合での電圧信号の波形を示すグラフである。
【図４】図１に示した画素での具体的な接続順序を説明する図である。
【図５】本発明の第２の実施形態にかかるアクティブマトリクス型液晶表示装置及びパネル制御部の要部構成を説明する図である。
【図６】本発明の第３の実施形態にかかるアクティブマトリクス型液晶表示装置及びパネル制御部の要部構成を説明する図である。
【図７】図６に示したソースドライバの具体的な構成を示すブロック図である。
【図８】本発明の第４の実施形態にかかるアクティブマトリクス型液晶表示装置及びパネル制御部の要部構成を説明する図である。
【図９】（ａ）及び（ｂ）はそれぞれＲＧＢの三色及びＲＧＢＷの四色のカラーフィルタを用いた場合での上記画素の設置例を説明する図である。
【符号の説明】
【０１１５】
１、１１、２１、３１  パネル制御部（アクティブマトリクス型液晶表示装置の駆動制御回路）
１ａ、１１ａ、２１ａ、３１ａ  画像処理部（演算部）
１ｂ、３１ｂ  駆動方向制御部（制御部）
１１ｂ、１５  電圧補正部（制御部）
１１ｃ、２１ｂ  切換制御部（制御部）
３１ａ１  データ変換部
２、２’  ソースドライバ（データ線駆動回路）
４  スイッチング素子
ＳＲ１、ＳＧ１、ＳＢ１、ＳＲ２、ＳＧ２、ＳＢ２、Ｓ１ａ、Ｓ１ｂ、Ｓ１ｃ、Ｓ１ｄ、Ｓ２ａ、Ｓ２ｂ  データ線
Ｇ１、…、ＧＮ  走査線
ＳＷＲ１、ＳＷＧ１、ＳＷＢ１、ＳＷＲ２、ＳＷＧ２、ＳＷＢ２、ＳＷ１ａ、ＳＷ１ｂ、ＳＷ１ｃ、ＳＷ１ｄ、ＳＷ２ａ、ＳＷ２ｂ  切換スイッチング素子（切換部）
Ｒ１１、Ｇ１１、Ｂ１１、Ｒ２１、Ｇ２１、Ｂ２１、Ｒ１２、Ｇ１２、Ｂ１２、Ｒ２２、Ｇ２２、Ｂ２２、Ｗ１１、Ｗ１２、Ｗ２２  画素
【図１】
2008191263.tif 000003
【図２】
2008191263.tif 000004
【図３】
2008191263.tif 000005
【図４】
2008191263.tif 000006
【図５】
2008191263.tif 000007
【図６】
2008191263.tif 000008
【図７】
2008191263.tif 000009
【図８】
2008191263.tif 000010
【図９】
2008191263.tif 000011